(57)【要約】【課題】ＣＰＵへの負荷増加を抑制しつつ、画像データを表示可能な通信端末装置を提供する。【解決手段】本発明にかかる通信端末装置は、画像データを記憶する記憶部と、前記記憶部から読み出した前記画像データおよび前記画像データをｎ倍化（ｎは正の実数）して表示するように指示する指示データを出力する制御手段と、前記制御手段から出力された指示データに応じて前記画像データをｎ倍化して表示する表示手段とを備える。【選択図】　図１
2004064579.tif 000002
【特許請求の範囲】
【請求項１】
画像データを記憶する記憶部と、
前記記憶部から画像データを読み出し、前記画像データおよび前記画像データをｎ倍化して表示するように指示する指示データを出力する制御手段と、
前記制御手段から出力された指示データに応じて、前記画像データをｎ倍化して表示する表示手段と、
を備えていることを特徴とする通信端末装置。
【請求項２】
請求項１記載の通信端末装置において、前記ｎは正の実数であることを特徴とする通信端末装置。
【請求項３】
請求項１記載の通信端末装置において、該表示手段は一つの表示部を複数の領域に分割し、各々の領域毎に異なるｎを設定してｎ倍化表示をすることを特徴とする通信端末装置。
【請求項４】
請求項１記載の通信端末装置において、該表示手段に入力される画像データの水平方向或いは垂直方向に隣接する画像データを基に補間データを生成する演算手段を有する事を特徴とする通信端末装置。
【請求項５】
請求項４記載の通信端末装置において、該補間データは、該表示手段に入力される隣接する画素の画像データ間の平均であることを特徴とする通信端末装置。
【請求項６】
請求項４記載の通信端末装置において、該補間データは、該表示手段に入力される隣接する画素の表示データ間の線形補間処理により生成することを特徴とする通信端末装置。
【請求項７】
請求項１記載の通信端末装置において、該表示手段は内部に表示データ格納手段とｎ倍化手段を有することを特徴とする通信端末装置。
【請求項８】
請求項７記載の通信端末装置において、該表示データ格納手段は該ｎ倍化手段によりｎ倍化された画像データを格納することを特徴とする通信端末装置。
【請求項９】
請求項７記載の通信端末装置において、該表示データ格納手段は該ｎ倍化手段の前段に構成し、該表示データ格納手段から出力された表示データを該ｎ倍化手段に入力することを特徴とする通信端末装置。
【請求項１０】
請求項１記載の通信端末装置において、ｎ倍化表示と等倍表示を切り替える手段を有することを特徴とする通信端末装置。
【請求項１１】
請求項１記載の通信端末装置において、該表示手段の画素数より少ない画素数のコンテンツ部分をｎ倍化処理することを特徴とする通信端末装置。
【請求項１２】
少なくとも１つの表示手段と、前記表示手段を制御する制御手段を有する通信端末装置において、該表示手段の画素数より、少ない画素数の表示データを該制御手段から該表示手段に転送する事を特徴とする通信端末装置。
【発明の詳細な説明】
【０００１】
【発明の属する技術分野】
本発明は、音声およびデータにより通信を行う通信端末装置に関する。
【０００２】
【従来の技術】
特開２００２−１４９１５１号公報に記載されているように、選択表示された任意の貼付け画像を所望の画像サイズに拡大または縮小して表示させることができる情報端末装置がある。
【０００３】
【発明が解決しようとする課題】
上記公報に記載の情報端末装置は、ＲＡＭ（Ｒａｎｄｏｍ　Ａｃｃｅｓｓ　Ｍｅｍｏｒｙ）に拡大後の表示データを格納し、ＲＡＭから読み出したデータをＣＰＵが表示部に転送するため、表示部の高精細化にともない表示データのデータ量が増大すると、高速で画面を更新するような動画表示においては、表示データの転送が間に合わず、コマ落ち等の不具合を生じるという問題がある。
【０００４】
また、表示部の解像度が変化すると、解像度に合わせて表示するコンテンツを作り直す必要があり、制御手段のソフト開発に多大な時間と労力を要するという問題がある。
【０００５】
そこで、本発明は、制御手段への負荷増加を抑制しつつ、画像データを表示可能な通信端末装置を提供することを目的とする。
【０００６】
【課題を解決するための手段】
上記目的を達成するために、本発明にかかる通信端末装置は、画像データを記憶する記憶部と、前記記憶部から読み出した前記画像データおよび前記画像データをｎ倍化（ｎは正の実数）して表示するように指示する指示データを出力する制御手段と、前記制御手段から出力された指示データに応じて前記画像データをｎ倍化して表示する表示手段とを備える。
【０００７】
【発明の実施の形態】
図１を用いて、本発明の第１の実施形態にかかる通信端末装置を説明する。図１において、１はアンテナ、２は無線回路、３は符号復号処理手段、４はマイク、５はレシーバ、６は表示手段、７はキー入力手段、８は記憶手段、９はＣＰＵを主体とする制御手段、１０はスピーカ、２４０はｎ倍化手段である。
【０００８】
アンテナ１は、空中を伝送されてきた電波を受信し、高周波電気信号に変換し、無線手段２に入力する。また、これとは逆に、無線手段２から出力された高周波電気信号を電波に変換して空中に放出する。無線手段２は、制御手段９の指示に基づき、アンテナ１で受信した高周波電気信号を復調し、符号復号処理手段３に入力する。また無線手段２は、符号復号処理手段３の出力信号に変調処理を施し、高周波電気信号に変換してアンテナ１に出力する。
【０００９】
符号復号処理手段３は、制御手段９の制御に従って無線手段２の出力信号に復号処理を施し、音声データはレシーバ５に出力し、文字や画像データは制御手段９に出力する。また、符号復号処理手段３はマイク４から入力されたユーザの声またはユーザがキー入力手段７を操作して編集した文字や画像データに符号化処理を施し、無線手段２を通じてアンテナ１から空中に放出する。記憶手段８は、制御手段９の制御方法や処理の一時記憶に使用する。
【００１０】
制御手段９は、符号復号処理手段３，無線手段２及びアンテナ１を使用して着信待ちを行い、着信があった場合はスピーカ１０からアラーム等の着信音またはメロディを発してユーザに着信があったことを通知すると共に、発信元の電話番号または電子メールアドレスを表示手段６に表示する。そして、ユーザがキー入力手段７を操作することにより、通話または受信した電子メールが閲覧できるように符号復号処理手段３，無線手段２，表示手段６を制御する。
【００１１】
また、制御手段９はユーザがキー入力手段７を操作して入力した電話番号や電子メールを表示手段６に表示すると共に符号復号処理手段３，無線手段２を制御して発呼を行い、相手先との通話または電子メールの送受信を行う。
【００１２】
表示手段６はｎ倍化手段２４０を備え、制御手段９からデータをｎ倍化して表示する指示があった場合、このｎ倍化手段２４０により制御手段９から転送された表示データをｎ倍化して表示する。
【００１３】
本実施形態では、表示手段６にｎ倍化手段２４０を備えるため、制御手段９から転送するデータ量を増加することなく、データを拡大して表示をすることができる。
【００１４】
次に、図２に第１の実施形態における表示手段６の構成例を示し、各部の動作を説明する。ここでは表示手段６として液晶表示装置を用いた時の構成例を示すが、表示手段６は液晶表示装置に限らず、有機ＥＬ表示装置等であっても良い。
【００１５】
図２において、１００は表示部、２００は水平方向パネル駆動手段、３００は垂直方向パネル駆動手段、３０１は垂直方向パネル駆動信号である。また、２０１はチップ選択信号、２０２はライトストローブ信号、２０３はリードストローブ、２０４はデータ種類選択信号、２０５はデータバスであり、制御手段９と表示手段６との間のインタフェースとして８０系のＣＰＵバスインタフェースを使用する。
【００１６】
水平方向パネル駆動手段２００は、制御手段６から転送される制御情報を格納するレジスタ群と表示データを格納する記憶手段を持ち、制御手段６から転送された制御情報及びデータはここに格納される。水平方向パネル駆動手段２００では、表示部１００のタイミング規定に合わせ水平方向パネル駆動信号２８１を表示部１００に出力し、また垂直方向パネル駆動手段制御信号群２６２を垂直方向パネル駆動手段３００に出力する。垂直方向パネル駆動手段３００では、垂直方向パネル駆動手段制御信号群２６２に従い、垂直方向パネル駆動信号３０１を生成する。
【００１７】
図３に、制御手段９から表示手段６へのＣＰＵバスインタフェース信号の波形例を示す。図３において、２０１はチップ選択信号であり、２０２はライトストローブ信号であり、２０３はリードストローブ信号であり、２０４はデータ種類選択信号であり、２０５はデータバスである。
【００１８】
制御手段９から表示手段６への有効データの転送はチップ選択信号２０１で判断され、この信号が“Ｌｏｗ”の場合に表示手段６への有効データとする。データ転送のライト／リードは、ライトストローブ信号２０２及びリードストローブ信号２０３で選択し、ライトストローブ信号２０２が“Ｌｏｗ”であればライト、リードストローブ信号が“Ｌｏｗ”であればリードとする。制御手段９から表示手段６へ転送されるデータは、レジスタ設定情報と表示データの２種類のデータである。このデータ種類は、データ種類選択信号２０４で区別し、ここでは“Ｈｉ”を表示データ、“Ｌｏｗ”をレジスタ情報とする。従って、図中Ｔ１のタイミングにおいてはレジスタ情報の書き込み、Ｔ２のタイミングにおいては表示データの書き込み、Ｔ３のタイミングにおいてはレジスタ情報の読み出し、Ｔ４のタイミングにおいては表示データの読み出しを行う。
【００１９】
なお、ここでは各信号が“Ｌｏｗ”で有効な例を示したが、これとは反対に各信号が“Ｈｉ”で有効であっても構わないし、データ種類の選択も逆であっても構わない。また、インタフェースとしてリードストローブ信号とライトストローブ信号が共通である６８系のバスインタフェースであっても構わないし、表示データとレジスタ情報の設定が出来るその他のインタフェースであっても構わない。
【００２０】
次に、図４に第１の実施形態における水平方向パネル駆動手段２００の構成例を示し、各部の動作を説明する。図４において２１０はＣＰＵバスインタフェース部、２１２はＣＰＵバスインタフェース−ｎ倍化手段間データバス、２２０はレジスタ制御手段、２２１はレジスタ情報、２３０はアドレス生成手段、２３１はアドレス生成手段出力アドレス、２４０はｎ倍化手段、２４１はｎ倍化手段出力データ、２４２は記憶手段ライト／リードアドレス、２５０は表示データ記憶手段、２５１は表示データ記憶手段読み出しデータ、２６０はタイミング信号生成手段、２６１は水平方向駆動タイミング信号、２６２は水平方向パネル駆動手段制御信号群、２７０は階調電圧生成手段、２７１は階調電圧、２８０は水平方向パネル駆動信号生成手段、２８１は水平方向パネル駆動信号である。
【００２１】
制御手段９から転送されるデータは、まずＣＰＵバスインタフェース部２１０に入力される。ここでは、データ種類選択信号２０４に従い転送されたデータの種類を判別し、受け取ったデータがレジスタ情報であればレジスタ制御データバス２１１を介してレジスタ制御手段２２０に転送し、表示データであればＣＰＵバスインタフェース−ｎ倍化手段間データバス２１２を介してｎ倍化手段２４０に転送する。
【００２２】
レジスタ制御手段２２０では、表示データ書き込み範囲やｎ倍表示設定等の制御手段９からの表示手段制御情報をレジスタに格納し、アドレス生成手段２３０とｎ倍化手段２４０とタイミング信号生成手段２６０に情報を分配する。アドレス生成手段２３０では、レジスタ制御手段２２０に指示された書き込み及び読み出しそれぞれに対する開始アドレス、データ範囲に従い、表示データ記憶手段２５０に対する書き込みアドレス及び読み出しアドレスを生成する。
【００２３】
ｎ倍化手段２４０は、レジスタ制御手段２２０の指示によりｎ倍化処理を施す。本ブロックは、ｎ倍化表示が指示された場合、ＣＰＵバスインタフェース部２１０から転送された表示データにｎ倍化処理を施し、表示データ格納手段２５０に書き込む。ｎ倍化手段の詳細は後で説明する。また、等倍表示を指示された場合は、ＣＰＵバスインタフェース部２１０から転送される表示データをアドレス生成手段２３０で生成されたアドレスに従い、そのまま表示データ格納手段２５０に格納する。表示データ格納手段２５０は、表示データのフレームメモリの役割を持ち、画像データを一旦本ブロックに格納する。
【００２４】
タイミング信号生成手段２６０は、表示部１００のタイミング規定に合わせ駆動に必要な水平方向駆動タイミング信号２６１と垂直方向パネル駆動手段制御信号群２６２を生成し、それぞれ水平方向パネル駆動信号生成手段２８０と垂直方向パネル駆動手段３００に転送する。階調電圧生成手段２７０では、表示部１００に入力データ各階調に対応した階調電圧を生成する。水平方向パネル駆動信号生成手段２８０では、表示データ格納手段２５０から読み出された表示データを、表示データに対応した階調電圧に変換し、水平方向駆動タイミング信号２６１に従い水平方向パネル駆動信号２８１を出力し表示部１００を駆動する。
【００２５】
次に図５、図６を用いてｎ倍化手段２４０の構成例とその動作を説明する。
図５は、第１の実施形態におけるｎ倍化手段２４０の構成例を示す図である。２１２はＣＰＵバスインタフェース−ｎ倍化手段間データバスであり、２３１はアドレス生成手段出力アドレスであり、２２１はレジスタ情報であり、２４１はｎ倍化手段出力データであり、２４２は記憶手段ライト／リードアドレスである。２６１は水平方向駆動タイミング信号、２４１０はデータ一時記憶手段、２４２０はアドレス演算手段である。
【００２６】
ＣＰＵバスインタフェース部−ｎ倍化手段間データバス２１２から転送された表示データは、データ一時記憶手段２４１０に保持される。また、表示データ記憶手段２５０への書き込みアドレスであるアドレス生成手段出力アドレス２３１は、アドレス演算手段２４２０に入力される。等倍表示においては、アドレスに対する演算は一切行われず、ＣＰＵバスインタフェース部２１０から転送された表示データと共にそのまま表示データ記憶手段２５０に転送される。ｎ倍化設定時においては、データ一時記憶手段２４１０に格納されたデータを繰り返し読み出す事で表示データをｎ倍化する。水平方向駆動タイミング信号２６１は、データ一時記憶手段２４１０からのデータ出力及びアドレス演算手段２４２０からのアドレス出力の発生タイミングの制御に使用される。
【００２７】
図６は、図５に示したｎ倍化手段２４０のｎ＝２における動作概要を示した図である。図６において、左側がｎ倍化手段２４０に入力される信号を示し、右側が出力される信号を示す。図中のＡ００，Ａ０１，…，ＡＭＮ，は水平方向Ｎ画素目、垂直方向Ｍ画素目の表示データを格納するアドレスを示し、Ｄ００，Ｄ０１，…，は入力表示データを示している。２倍表示においては、入力１画素を水平方向２画素×垂直方向２画素で表示させる為、入力表示データＤ００に対し、このデータをデータ一時記憶手段２４１０から４回読み出し、表示データ記憶手段２５０のアドレスＡ００，Ａ０１，Ａ１０，Ａ１１にデータを書き込む事で２倍表示が可能となる。さらにレジスタ制御手段２２０に書き込み表示データの開始位置及び終了位置を設定する事で、設定した任意の領域のみを２倍表示する事が可能となる。
【００２８】
図７に表示装置６の中央部のみに２倍表示を行う場合の例を示す。図７においてＥ１はアンテナや電池残量等のアイコンを表示し、Ｅ２はＭＰＥＧ等を表示する領域であり、Ｅ３は簡易メニューを表示する領域である事を示している。
【００２９】
図７において、左側（ａ）は制御手段９から表示手段６に転送される表示データのイメージ図であり、右側（ｂ）は表示手段６に実表示される表示データのイメージ図である。図に示す様に制御手段側の図７（ａ）のＥ２の領域のデータ量としては、実表示される表示データの水平垂直各１／２の１／４のデータ量で構成する事が出来る。また、Ｅ２領域の制御手段９と表示手段６間のデータ転送時間も１／４となり、動画表示におけるコマ落ちを防止し、滑らかな動画表示を可能とする。
さらにアイコン表示領域Ｅ１や簡易メニュー表示領域Ｅ３をｎ倍表示する事により、表示手段の画素数が異なる通信端末装置で使用された表示コンテンツを再利用する事が出来る。
【００３０】
次に、本発明第２の実施形態について説明する。
【００３１】
本実施形態にかかる通信端末装置は、表示手段６内部の水平方向パネル駆動手段２００構成が第１の実施形態と異なる。第１の実施形態では、水平方向パネル駆動手段２００において、表示データ記憶手段２５０にはｎ倍化された表示データを格納し、表示データ記憶手段２５０に格納される表示データと表示部１００に実表示される表示データが等しい。これに対し、本実施形態においては制御手段９から転送された表示データをそのまま表示データ記憶手段２５０に格納し、ここから読み出す時にｎ倍化を行う為、表示データ記憶手段２５０に格納される表示データと表示部１００に実表示される表示データが異なる。
【００３２】
図８に本発明第２の実施形態における水平方向パネル駆動手段２００の構成例を示し、その動作を説明する。図８において２１３はＣＰＵバスインタフェース−表示データ記憶手段間データバスである。図４で示した第１の実施形態における水平方向パネル駆動手段２００と同等の部分には同一符号を付し、重複する説明は省略する。
【００３３】
図８において制御手段９から転送された表示データは、ＣＰＵバスインタフェース部２１０を介し、ＣＰＵバスインタフェース−表示データ記憶手段間データバス２１３を通って、そのまま表示データ記憶手段２５０に格納される。ｎ倍化手段２４０は、等倍表示においてはアドレス生成手段からのライト／リードアドレスをそのまま表示データ格納手段２５０に転送するが、ｎ倍化設定時に読み出しアドレスを制御し、表示データ格納手段２５０に格納された表示データを繰り返し読み出す事でｎ倍化表示をすることができる。
【００３４】
図９に本実施形態における２倍表示例を示す。図９において左側に表示データ格納手段２５０に格納された表示データを示し、右側に表示データ格納手段から読み出された表示データを示す。図中のＡ００，Ａ０１，…，ＡＭＮ，は水平方向Ｎ画素目、垂直方向Ｍ画素目の表示データを格納するアドレスを示し、Ｄ００，Ｄ０１，…，は入力表示データを示している。２４２は記憶手段ライト／リードアドレス、２５１は表示データ記憶手段読み出しデータである。
【００３５】
２倍表示においては、表示データ格納手段に格納された１画素の表示データを水平方向２画素×垂直方向２画素で表示させる為、同一画素を水平方向に２回、垂直方向に２回繰り返し読み出す。図９の左側図の様に格納された表示データは、パネル表示を行う為のラスタスキャン読み出しにおいて、Ｄ００，Ｄ００，Ｄ０１，Ｄ０１，・・・と水平方向に入力１画素データを２回づつ読み出され、されに次のラインもＤ００，Ｄ００，Ｄ０１，Ｄ０１，・・・と入力１ラインデータを２回づつ読み出す事で２倍表示が可能となる。
【００３６】
図１０に表示装置６の中央部のみに２倍表示を行う場合の例を示す。図１０において左側（ａ）は制御手段２５０に格納される表示データのイメージ図を示し、右側（ｂ）は表示部１００に実表示される表示データのイメージ図を示す。Ｅ２１はアンテナや電池残量等のアイコン表示領域あり、Ｅ２２はＭＰＥＧ等を表示する領域であり、Ｅ２３は簡易メニューを表示する領域である事を示している。
【００３７】
図に示す様に、表示データ記憶手段２５０に格納されるＥ２２の領域における表示データは、制御手段９から転送された水平垂直各１／２のデータ量の表示データであり、このデータは、表示データ記憶手段２５０から読み出される際に２倍され、右側（ｂ）の様に実表示される。Ｅ２２領域においては、データ量を１／４に低減できる為、制御手段９の負荷と、制御手段９と表示手段６間の伝送データ量が低減され動画表示におけるコマ落ちを防止することができる。
【００３８】
次に、本発明第３の実施形態について説明する。
【００３９】
本実施形態では、ｎ倍表示のｎが３，４，…と大きくなると表示手段に実表示される画像がギザギザした粗い画像となるのを抑え、画像を滑らかに表示させる例を示す。本実施形態における通信端末装置構成は、第１の実施形態とは、水平方向パネル駆動手段２００内部のｎ倍化手段２４０の構成が異なる。
【００４０】
図１１に本発明第３の実施形態におけるｎ倍化手段２４０の構成例を示し、以下にその動作を説明する。図１１において、２４１１は演算マスタデータ、２４１２は演算スレーブデータ、２４２１は演算制御信号、２４３０は表示データ演算手段である。図５で示した第１の実施形態におけるｎ倍化手段２４０と同等の部分には同一符号を付し、重複する説明は省略する。
【００４１】
図１１において、ＣＰＵバスインタフェース部２１０から転送された表示データは、ＣＰＵバスインタフェース−ｎ倍化手段間データバス２１２を通り、データ一時記憶手段２４１０に保持される。また、アドレス生成手段２３０から転送された表示データ記憶手段２５０への書き込みアドレスはアドレス演算手段２４２０に入力される。アドレス演算手段２４２０では、ｎ倍化設定時においてデータ一時記憶手段２４１０に格納されたデータを繰り返し読み出す事で表示データをｎ倍化して表示する。データ一時記憶手段２４１０から読み出される表示データは垂直方向の表示画像演算を行う為、それぞれ入力された垂直方向に隣接するラインの表示データである演算マスタデータ２４１１と演算スレーブデータ２４１２の２ライン分の表示データが読み出され、表示データ演算手段２４３０に入力される。表示データ演算手段２４３０では、ｎ倍化された表示データに対し演算処理を行う事により、画像を滑らかにする。
図１２に表示データ演算手段の構成例を示し、その動作を示す。
【００４２】
図１２において、２４１はｎ倍化手段出力データ、２４１１は演算マスタデータ、２４１２は演算スレーブデータ、２４３０は表示データ演算手段、２４４０は演算制御手段、２４４１は水平方向演算制御信号、２４４２は垂直方向演算制御信号、２４５０は水平方向演算手段Ａ、２４５１は水平演算出力マスタデータ、２４５２は水平演算出力スレーブデータ、２４５５は水平方向演算手段Ｂ、２４６０は垂直方向演算手段である。
【００４３】
データ一時記憶手段２４１０から転送された演算マスタデータ２４１１は、水平方向演算手段Ａ２４５０に入力され、演算スレーブデータ２４１２は、水平方向演算手段Ｂ２４５５に入力される。ここで、演算スレーブデータ２４１２は、演算マスタデータ２４１１に対し１ライン後の入力表示データであり、水平方向演算手段Ａ２４５０と水平方向演算手段Ｂ２４５５の機能は等しい。ｎ倍表示においては、演算マスタデータ２４１１、演算スレーブデータ２４１２は、水平方向演算手段Ａ２４５０及び水平方向演算手段Ｂ２４５５にて水平方向の隣接画素データ間で演算を行い、ｎ倍化により生成された画素を制御手段９から入力された表示データの各隣接画素間の中間調に変換する。水平方向演算された水平演算出力マスタデータ２４５１及び水平演算出力スレーブデータ２４５２は、垂直方向演算手段２４６０に入力される。ここでは、垂直方向の隣接ライン間で演算を行い、ｎ倍化により生成されたラインを入力表示データの各隣接ライン間の中間調に変換し出力する。
【００４４】
図１３に第３の実施形態の２倍表示における演算手段の入出力データ概要を示す。図１３において、２４１１は演算マスタデータであり、２４１２は演算スレーブデータであり、２４１はｎ倍化手段出力データを通るデータである。Ｄ００，Ｄ０１，…，ＤＭＮ，…は、入力表示データの水平方向Ｍ画素目、垂直方向Ｎ画素目の画素の表示データを示しており、ｄ００１，ｄ００２，…は、ｎ倍化で生成され演算処理された各隣接画素間の中間調表示データである事を示す。Ｐ１は入力表示データ例を示し、Ｐ２は、Ｐ１の表示データが入力された時の２倍表示におけるデータ一時記憶手段２４１０の読み出しデータを示す。Ｐ３は、Ｐ１の表示データが入力された時の２倍表示における表示データ演算手段２４３０の出力データを示す。
【００４５】
Ｐ１の入力表示データは、データ一時記憶手段２４１０に格納され、ここから読み出される時に同一データを繰り返し読み出される事により、Ｐ２のように入力１画素に対し、水平２画素、垂直２画素に２倍化される。表示データ演算手段２４３０では、Ｄ００とＤ０１からｄ００１、Ｄ００とＤ１０からｄ００２という様に、水平及び垂直方向の隣接画素データ間で演算を行い、その中間調のデータを生成する。
【００４６】
図１４に第３の実施形態の２倍表示における入力表示データの階調とｎ倍化手段２４０から出力される表示データの階調例を示す。中間調データの生成方法としては、隣接画素間の平均値処理、線形補間処理等様々考えられるが、本実施形態においては線形補間処理による例を示す。
【００４７】
図１４において、Ｐ１１は入力表示データの階調例を示し、Ｐ１２はデータ一時記憶手段２４１０から出力される表示データ階調を示し、Ｐ１３は表示データ演算手段２４３０から出力される表示データを示す。図の縦軸方向は表示データの階調を意味し、横軸方向は、水平或いは垂直方向の画素位置を意味する。Ｐ１３のグレーで塗り潰した棒は、中間調生成の演算処理がされた画素であることを意味している。
【００４８】
Ｐ１１の入力表示データを２倍表示する場合、データ一時記憶手段２４１０から読み出される表示データは、Ｐ１２のように同一画素が２度繰り返し読み出される事により、同一階調データが連なり、角張った表示になる。本発明第３の実施形態では、繰り返し読み出された表示データに対し、隣接画素間における中間調生成の演算を行う事により、Ｐ１３のような階調変化の滑らかなｎ倍表示を実現する。
【００４９】
次に本発明第４の実施形態について説明する。第４の実施形態は、ｎ倍化手段２４０が表示データ記憶手段の後段に位置する例である。本発明第４の実施形態における通信端末装置構成は、表示手段内部の水平方向パネル駆動手段構成が第１の実施形態と異なる。
【００５０】
図１５に本実施形態における水平方向パネル駆動手段の構成例を示す。図１５において、２１３はＣＰＵバスインタフェース−表示データ記憶手段間データバスである。図４で示した第１の実施形態における水平方向パネル駆動手段２００と同等の部分には同一符号を付し、重複する説明は省略する。
【００５１】
ＣＰＵバスインタフェース部２１０から転送された表示データは、ＣＰＵバスインタフェース−表示データ記憶手段間データバス２１３を通って表示データ記憶手段２５０に格納され、その格納のされ方は、図１０に示した実施形態２における表示データ記憶手段２５０への表示データ格納形式に等しい。ｎ倍化表示時において、表示データ格納手段２５０から読み出された表示データは、ｎ倍化手段２４０に入力され、ここでｎ倍化される。ｎ倍化された表示データは、水平方向パネル駆動信号生成手段２８０に入力され、表示部に表示される。
【００５２】
図１６に本実施形態におけるｎ倍化手段の構成例を示す。図１６において、２５１は表示データ記憶手段読み出しデータ、２４７０はｎ倍化制御手段、２４７１はｎ倍化制御信号である。図５で示した第１の実施形態におけるｎ倍化手段２４０と同等の部分には同一符号を付し、重複する説明は省略する。
【００５３】
図１６において、表示データ記憶手段読み出しデータ２５１はデータ一時記憶手段２４１０に格納される。ｎ倍化制御手段２４７０では、レジスタ情報２２１の指示と水平方向駆動タイミング信号２６１に従いｎ倍化制御信号２４７１を生成し、データ一時記憶手段２４１０からのデータ出力制御を行う。ｎ倍表示時においては、データ一時記憶手段２４１０に格納された表示データを繰り返し読み出す事でｎ倍表示を実現する。
【００５４】
図１７に本実施形態の２倍表示例におけるデータ一時記憶手段２４１０からの表示データ読み出し例を示す。このデータ一時記憶手段２４１０からの表示データ読み出し方法は、図９に示した本発明第２の実施形態における表示データ格納手段２５０からの表示データ読み出し方法に等しい。図１７においてＡ００，Ａ０１，…，ＡＭＮ，は水平方向Ｎ画素目、垂直方向Ｍ画素目の入力表示データをデータ一時記憶手段２４１０に格納するアドレスを示し、Ｄ００，Ｄ０１，…，は入力表示データを示している。データ一時記憶手段２４１０には図１７の左側の様に表示データが格納される。パネル表示を行う為のラスタスキャン読み出しにおいて、図１７の右側の様にデータ一時記憶手段２４１０からＤ００，Ｄ００，Ｄ０１，Ｄ０１，・・・と水平方向に入力１画素データを２回づつ読み出し、さらに次のラインもＤ００，Ｄ００，Ｄ０１，Ｄ０１，・・・と入力１ラインデータに対し２ラインづつ読み出す事で２倍表示をすることができる。
【００５５】
本発明の実施形態にかかる通信端末装置は、制御手段９から特定領域のコンテンツを低解像度で表示手段６に転送し、表示手段６内でｎ倍化表示することにより、制御手段９の負荷及びバス占有率を低減することができる。また、解像度の異なる表示手段を採用する通信端末装置開発において、アイコン等のコンテンツ再利用を可能とし開発工程の短縮を可能とすることができる。
【００５６】
【発明の効果】
本発明によれば、制御手段への負荷増加を抑制しつつ、画像データを表示可能な通信端末装置を供することができる。
【図面の簡単な説明】
【図１】本発明の第１の実施形態における通信端末装置の構成図を示す図である。
【図２】第１の実施形態における通信端末装置の表示手段を示す図である。
【図３】第１の実施形態における通信端末装置の制御手段と表示手段間のインターフェース信号例を示す図である。
【図４】第１の実施形態における通信端末装置の表示手段の水平方向パネル駆動手段構成図を示す図である。
【図５】第１の実施形態における通信端末装置の表示手段内部のｎ倍化手段構成例を示す図である。
【図６】第１の実施形態における通信端末装置の表示手段内部ｎ倍化手段構成例の動作概要を示す図である。
【図７】第１の実施形態における通信端末装置のｎ倍表示例を示す図である。
【図８】本発明の第２の実施形態にかかる通信端末装置の表示手段内水平方向パネル駆動手段構成図を示す図である。
【図９】第２の実施形態における通信端末装置の表示手段内部のｎ倍化手段動作概要を示す図である。
【図１０】第２の実施形態における通信端末装置のｎ倍表示例を示す図である。
【図１１】本発明の第３の実施形態にかかる通信端末装置のｎ倍化手段構成例を示す図である。
【図１２】第３の実施形態における通信端末装置の表示データ演算手段構成例を示す図である。
【図１３】第３の実施形態の２倍表示における演算手段の入出力データ概要を示す図である。
【図１４】第３の実施形態の２倍表示における入力表示データの階調とｎ倍化手段から出力される表示データの階調例を示す図である。
【図１５】本発明の第４の実施形態にかかる通信端末装置表示手段の水平方向パネル駆動手段構成図を示す図である。
【図１６】第４の実施形態における通信端末装置のｎ倍化手段構成例を示す図である。
【図１７】第４の実施形態における通信端末装置の表示手段内部ｎ倍化手段の動作概要を示す図である。
【符号の説明】
１…アンテナ、２…無線手段、３…符号復号処理手段、４…マイク、５…レシーバ、６…表示手段、７…キー入力手段、８…記憶手段、９…制御手段、１０…スピーカ、１００…表示部、２００…水平方向パネル駆動手段、２０１…チップ選択信号、２０２…ライトストローブ信号、２０３…リードストローブ信号、２０４…データ識別信号、２０５…データバス、２１０…ＣＰＵバスインタフェース、２１１…レジスタ制御データバス、２１２…ＣＰＵバスインタフェース−ｎ倍化手段間データバス、２１３…ＣＰＵバスインタフェース−表示データ記憶手段間データバス、２２０…レジスタ制御手段、２２１…レジスタ情報、２３０…アドレス生成手段、２３１…アドレス生成手段出力アドレス、２４０…ｎ倍化手段、２４１…ｎ倍化手段出力データ、２４２…記憶手段ライト／リードアドレス、２５０…表示データ記憶手段、２５１…表示データ記憶手段読み出しデータ、２６０…タイミング信号生成手段、２６１…水平方向駆動タイミング信号、２６２…水平方向パネル駆動手段制御信号群、２７０…階調電圧生成手段、２７１…階調電圧、２８０…水平方向パネル駆動信号生成手段、２８１…水平方向パネル駆動信号、３００…垂直方向パネル駆動手段、３０１…垂直方向パネル駆動信号、２４１０…データ一時記憶手段、２４１１…演算マスタデータ、２４１２…演算スレーブデータ、２４２０…アドレス演算手段、２４３０…表示データ演算手段、２４４０…演算制御手段、２４４１…水平方向演算制御信号、２４４２…垂直方向演算制御信号、２４５０…水平方向演算手段Ａ、２４５１…水平演算出力マスタデータ、２４５２…水平演算出力スレーブデータ、２４５５…水平方向演算手段Ｂ、２４６０…垂直方向演算手段、２４７０…ｎ倍化制御手段、２４７１…ｎ倍化制御信号
【図１】
2004064579.tif 000003
【図２】
2004064579.tif 000004
【図３】
2004064579.tif 000005
【図４】
2004064579.tif 000006
【図５】
2004064579.tif 000007
【図６】
2004064579.tif 000008
【図７】
2004064579.tif 000009
【図８】
2004064579.tif 000010
【図９】
2004064579.tif 000011
【図１０】
2004064579.tif 000012
【図１１】
2004064579.tif 000013
【図１２】
2004064579.tif 000014
【図１３】
2004064579.tif 000015
【図１４】
2004064579.tif 000016
【図１５】
2004064579.tif 000017
【図１６】
2004064579.tif 000018
【図１７】
2004064579.tif 000019